(57)【要約】【課題】両ハウジングの離脱状態でレバーが回動したときのムービングプレートの移動を規制する。【解決手段】レバー２４には、入口２８Ｅから奥側に向かうほどレバー２４の回動中心１３に接近するように湾曲した形態のカム溝２８（第１通路）が形成され、レバー２４が雌側ハウジング４０のカムピン４１に摺接しながら初期位置から嵌合位置へ回動する過程では、ムービングプレート１８のカム突起２３が、カム溝２８内でレバー２４の回動中心１３に接近するように変位する。レバー２４には、逃がし空間３１（第２通路）が形成されている。レバー２４がカムピン４１と非接触の状態で初期位置から嵌合位置へ回動する過程では、カム突起２３が、逃がし空間３１内でレバー２４の回動中心１３との位置関係を変化させずに変位する。【選択図】図５
2019212520.tif 000002
【特許請求の範囲】
【請求項１】
正面側へ筒状に突出したフード部を有する雄側ハウジングと、
前記雄側ハウジングに取り付けられ、前記フード部で包囲されたタブを有する複数の雄端子金具と、
前記フード部内に収容され、前記複数のタブの先端部を貫通させた状態で位置決めする保護位置と、前記保護位置より背面側の退避位置との間で移動可能なムービングプレートと、
前記ムービングプレートに形成されたカム突起と、
カムピンを有し、前記フード部内に嵌入可能な雌側ハウジングと、
前記雄側ハウジングに取り付けられ、前記カムピンと摺接しながら初期位置から嵌合位置へ回動することで前記雌側ハウジングと前記雄側ハウジングを嵌合させるレバーと、
前記レバーに形成され、入口から奥側に向かうほど前記レバーの回動中心に接近するように湾曲した形態であって、前記レバーが前記カムピンに摺接しながら前記初期位置から前記嵌合位置へ回動する過程では、前記カム突起が前記レバーの回動中心に接近するように変位することを可能にする第１通路と、
前記レバーに形成され、前記レバーが前記カムピンと非接触の状態で前記初期位置から前記嵌合位置へ回動する過程では、前記カム突起が前記レバーの回動中心との位置関係を変化させずに変位することを許容する第２通路とを備えていることを特徴とするレバー式コネクタ。
【請求項２】
前記第２通路の入口が前記第１通路の前記入口と隣接して連通しており、
前記第１通路及び前記第２通路における前記入口よりも奥側の領域では、前記第２通路が、前記第１通路よりも前記レバーの回動中心から遠い領域に配されていることを特徴とする請求項１記載のレバー式コネクタ。
【請求項３】
前記第１通路には、前記カム突起と非接触であり、且つ前記雄側ハウジングと前記雌側ハウジングを嵌合する過程で前記カムピンに嵌合方向の押圧力を付与する嵌合用カム面が形成されていることを特徴とする請求項１又は請求項２記載のレバー式コネクタ。
【請求項４】
前記第２通路は、前記第１通路よりも浅く凹ませた形態であり、
前記カムピンの突出寸法が前記カム突起の突出寸法よりも大きく設定されていることを特徴とする請求項１ないし請求項３のいずれか１項に記載のレバー式コネクタ。
【請求項５】
前記第１通路に形成され、前記雄側ハウジングと前記雌側ハウジングが嵌合した状態から前記レバーを前記初期位置側へ回動する過程で、前記カム突起に対し前記雄側ハウジングと前記雌側ハウジングを離脱させる方向の押圧力を付与する離脱用カム面を備えていることを特徴とする請求項１ないし請求項４のいずれか１項に記載のレバー式コネクタ。
【請求項６】
前記レバーには、前記レバーの回動中心と対向し、且つ前記第２通路の外周縁に沿うように配された規制面が形成されていることを特徴とする請求項１ないし請求項５のいずれか１項に記載のレバー式コネクタ。
【発明の詳細な説明】
【技術分野】
【０００１】
本発明は、レバー式コネクタに関するものである。
【背景技術】
【０００２】
特許文献１には、前方へ筒状に突出したフード部を有する雄側ハウジングと、雄側ハウジングに回動可能に取り付けたレバーと、雄端子金具のタブを貫通して位置決めした状態でフード部内に収容されたムービングプレートと、フード部内に嵌合される雌側ハウジングとを備えたレバー式コネクタが開示されている。ムービングプレートは、タブの前端部を貫通させる保護位置と保護位置より後方の退避位置との間で移動可能となっている。
【０００３】
両ハウジングを嵌合する際には、レバーが初期位置にある状態で、雌側ハウジングをフード部内に収容し、雌側ハウジングのカムピンとムービングプレートのカム突起を合体した状態でレバーのカム溝の入口に進入させる。この状態からレバーを嵌合位置側へ回動させると、カムピンとカム溝との摺接による倍力作用により、雌側ハウジングが雄側ハウジングに引き寄せられて両ハウジングが嵌合状態となる。
【０００４】
両ハウジングが嵌合している状態においてレバーを初期位置へ回動させると、カム突起とカム溝との摺接による倍力作用により、ムービングプレートが、フード部の前端側へ移動して雌側ハウジングを雄側ハウジングから遠ざかるように押し動かすので、両ハウジングを離脱することができる。レバーが初期位置に戻ると、ムービングプレートは、タブの前端部を貫通させる保護位置に復帰する。
【先行技術文献】
【特許文献】
【０００５】
【特許文献１】特開平１１−６７３３７号公報
【発明の概要】
【発明が解決しようとする課題】
【０００６】
上記レバー式コネクタは、両ハウジングを離脱した状態でレバーを初期位置と嵌合位置との間で回動させると、カム突起とカム溝との摺接により、ムービングプレートがフード部の奥方へ移動する。ムービングプレートがフード部の奥方へ移動すると、タブが、ムービングプレートの前方で露出した状態となるので、タブに対して異物が干渉することが懸念される。
【０００７】
本発明は上記のような事情に基づいて完成されたものであって、雄側ハウジングと雌側ハウジングが離脱した状態でレバーを回動させたときに、ムービングプレートが移動することを規制することを目的とする。
【課題を解決するための手段】
【０００８】
本発明は、
正面側へ筒状に突出したフード部を有する雄側ハウジングと、
前記雄側ハウジングに取り付けられ、前記フード部で包囲されたタブを有する複数の雄端子金具と、
前記フード部内に収容され、前記複数のタブの先端部を貫通させた状態で位置決めする保護位置と、前記保護位置より背面側の退避位置との間で移動可能なムービングプレートと、
前記ムービングプレートに形成されたカム突起と、
カムピンを有し、前記フード部内に嵌入可能な雌側ハウジングと、
前記雄側ハウジングに取り付けられ、前記カムピンと摺接しながら初期位置から嵌合位置へ回動することで前記雌側ハウジングと前記雄側ハウジングを嵌合させるレバーと、
前記レバーに形成され、入口から奥側に向かうほど前記レバーの回動中心に接近するように湾曲した形態であって、前記レバーが前記カムピンに摺接しながら前記初期位置から前記嵌合位置へ回動する過程では、前記カム突起が前記レバーの回動中心に接近するように変位することを可能にする第１通路と、
前記レバーに形成され、前記レバーが前記カムピンと非接触の状態で前記初期位置から前記嵌合位置へ回動する過程では、前記カム突起が前記レバーの回動中心との位置関係を変化させずに変位することを許容する第２通路とを備えているところに特徴を有する。
【発明の効果】
【０００９】
両ハウジングが離脱してレバーがカムピンと非接触となる状態において、レバーが初期位置から嵌合位置へ回動した場合、カム突起は、レバーの回動中心に接近しない状態を保ったままで第２通路内を変位するので、ムービングプレートも保護位置から動くことはない。
【図面の簡単な説明】
【００１０】
【図１】実施例１のレバー式コネクタを構成する雄側ハウジングにおいてレバーが初期位置にある状態をあらわす側面図
【図２】雄側ハウジングと雌側ハウジングが離脱した状態においてレバーが初期位置にあるときの側断面図
【図３】雄側ハウジングと雌側ハウジングが離脱した状態においてレバーが嵌合位置にあるときの側断面図
【図４】雄側ハウジングと雌側ハウジングが離脱してレバーが初期位置にある状態において、カム突起とカム溝と逃がし空間との位置関係をあらわす側断面図
【図５】雄側ハウジングと雌側ハウジングが離脱してレバーが嵌合位置にある状態において、カム突起とカム溝と逃がし空間との位置関係をあらわす側断面図
【図６】図５のＸ−Ｘ線断面図
【図７】雄側ハウジングと雌側ハウジングが嵌合した状態をあらわす側断面図
【図８】雄側ハウジングと雌側ハウジングが嵌合を開始してレバーが初期位置にある状態において、カム突起とカムピンとカム溝と逃がし空間との位置関係をあらわす側断面図
【図９】雄側ハウジングと雌側ハウジングが嵌合してレバーが嵌合位置にある状態において、カム突起とカムピンとカム溝と逃がし空間との位置関係をあらわす側断面図
【図１０】図９のＹ−Ｙ線断面図
【図１１】雄側ハウジングの斜視図
【図１２】ムービングプレートの斜視図
【図１３】レバーの斜視図
【図１４】雌側ハウジングの斜視図
【発明を実施するための形態】
【００１１】
本発明は、前記第２通路の入口が前記第１通路の前記入口と隣接して連通しており、前記第１通路及び前記第２通路における前記入口よりも奥側の領域では、前記第２通路が、前記第１通路よりも前記レバーの回動中心から遠い領域に配されていてもよい。この構成によれば、第１通路の入口と第２通路の入口が隣接して連通しているので、第１通路の入口と第２通路の入口が別々の空間である場合に比べると、レバーの形状を簡素化することができる。
【００１２】
本発明は、前記第１通路には、前記カム突起と非接触であり、且つ前記雄側ハウジングと前記雌側ハウジングを嵌合する過程で前記カムピンに嵌合方向の押圧力を付与する嵌合用カム面が形成されていてもよい。この構成によれば、第１通路は、カム突起を変位させる空間としてだけでなく、カムピンを変位させる空間としての機能も兼ね備えている。したがって、第１通路とは別に、両ハウジングの嵌合過程でカムピンを変位させるための専用通路を形成する場合に比べると、レバーの形状を簡素化することができる。
【００１３】
本発明は、前記第２通路は、前記第１通路よりも浅く凹ませた形態であり、前記カムピンの突出寸法が前記カム突起の突出寸法よりも大きく設定されていてもよい。この構成によれば、両ハウジングの嵌合過程でカムピンが第２通路内に誤進入することを防止できる。
【００１４】
本発明は、前記第１通路に形成され、前記雄側ハウジングと前記雌側ハウジングが嵌合した状態から前記レバーを前記初期位置側へ回動する過程で、前記カム突起に対し前記雄側ハウジングと前記雌側ハウジングを離脱させる方向の押圧力を付与する離脱用カム面を備えていてもよい。この構成によれば、第１通路は、両ハウジングの嵌合過程でカム突起を変位させる空間としてだけでなく、両ハウジングの離脱過程でカム突起を変位させるための空間としての機能も兼ね備えている。したがって、第１通路とは別に、両ハウジングの離脱過程でカム突起を変位させるための専用通路を形成する場合に比べると、レバーの形状を簡素化することができる。
【００１５】
本発明は、前記レバーには、前記レバーの回動中心と対向し、且つ前記第２通路の外周縁に沿うように配された規制面が形成されていてもよい。この構成によれば、カム突起が規制面に当接することにより、保護位置のムービングプレートがフード部の正面側へ離脱することを防止できる。
【００１６】
＜実施例１＞
以下、本発明を具体化した実施例１を図１〜図１４を参照して説明する。尚、以下の説明において、前後の方向については、図１〜５，７〜９における左方を前方と定義する。上下の方向については、図１〜１４にあらわれる向きを、そのまま上方、下方と定義する。尚、上方と正面側は同義であり、下方と背面側は同義である。
【００１７】
本実施例１のレバー式コネクタの概要を説明する。レバー式コネクタは、正面側へ筒状に突出したフード部１２を有する合成樹脂製の雄側ハウジング１０と、フード部１２内に嵌入可能であって左右両外側面に左右対称な一対のカムピン４１が突出形成された合成樹脂製の雌側ハウジング４０とを備えている。雄側ハウジング１０には、フード部１２で包囲されたタブ１７を有する複数の雄端子金具１５が取り付けられている。
【００１８】
フード部１２内には、複数のタブ１７の先端部を貫通させた状態で位置決めする保護位置と、保護位置より背面側（下方）の退避位置との間で上下方向に移動可能な合成樹脂製のムービングプレート１８が収容されている。ムービングプレート１８には左右一対のカム突起２３が形成されている。雄側ハウジング１０には、初期位置と嵌合位置との間で回動可能な合成樹脂製のレバー２４が取り付けられている。レバー２４は、カムピン４１と摺接しながら初期位置から嵌合位置へ回動することで雌側ハウジング４０と雄側ハウジング１０を嵌合させる倍力機能を発揮する。
【００１９】
＜雄側ハウジング１０及び雄端子金具１５＞
雄側ハウジング１０は、ブロック状をなす端子保持部１１と、端子保持部１１の外周縁から上方へ角筒状に突出した形態のフード部１２とを有している。端子保持部１１内には、複数の雄端子金具１５の端子本体部１６が収容され、雄端子金具１５の先端部に形成したタブ１７が、端子保持部１１から上向きに突出してフード部１２内に収容されている。雄側ハウジング１０の左右両外側面には、左右一対の回動軸１３（レバー２４の回動中心）が形成されている。また、フード部１２の左右両外壁部には、その上端縁部（フード部１２の開口端縁部）を下方へ切欠した形態の左右一対の切欠部１４が形成されている。
【００２０】
＜ムービングプレート１８＞
ムービングプレート１８は、板厚方向をムービングプレート１８の移動方向と平行に向けた平板状をなすプレート本体部１９と、プレート本体部１９の外周縁から上方へ突出した周壁部２０とを有する単一部品である。プレート本体部１９には、複数のタブ１７を貫通させた状態で個別に位置決めする複数の位置決め孔２１が形成されている。周壁部２０の左右両側壁部には、周壁部２０の上端縁（開口端縁）から下方（背面側）へ切欠した形態の左右対称な一対のガイド溝２２が形成されている。
【００２１】
周壁部２０の左右両外側面には、夫々、両ガイド溝２２の溝縁部の下端部から突出した前後一対ずつのカム突起２３が形成されている。ムービングプレート１８をフード部１２内に収容した状態では、両カム突起２３が、切欠部１４からフード部１２の外側面外方へ突出する。カム突起２３は、後述するレバー２４のカム溝２８と逃がし空間３１内に収容され得るようになっている。
【００２２】
ムービングプレート１８は、周壁部２０をフード部１２の内周面に摺接させることで、傾くことなく保護位置（図２，３を参照）と退避位置（図７を参照）との間で移動することができる。ムービングプレート１８が保護位置にある状態では、タブ１７の先端部（上端部）がプレート本体部１９の位置決め孔２１を貫通するので、プレート本体部１９からのタブ１７の上方への突出寸法が小さく抑えられている。
【００２３】
ムービングプレート１８が退避位置にある状態では、プレート本体部１９が端子保持部１１の上端面（フード部１２の奥底面）に当接又は接近するので、位置決め孔２１にはタブ１７の基端側の部分が貫通する。したがって、プレート本体部１９からのタブ１７の上方への突出寸法は、保護位置にあるときよりも大きくなる。
【００２４】
＜レバー２４＞
レバー２４は、左右対称な一対の板状をなすアーム部２５と、両アーム部２５の先端部同士を連結する操作部２６とを有する単一部品である。両アーム部２５における基端側の位置には、左右方向に貫通した形態の軸受孔２７が形成されている。レバー２４は、軸受孔２７を回動軸１３に嵌合することで雄側ハウジング１０に取り付けられ、初期位置（図１，２，４，８を参照）と嵌合位置（図３，５，７，９を参照）との間で回動可能となっている。レバー２４を雄側ハウジング１０に取り付けた状態では、アーム部２５が、フード部１２の外側面と対向して切欠部１４を覆うように配される。
【００２５】
レバー２４には、両アーム部２５の内側面を凹ませた形態の左右対称な一対のカム溝２８が形成されている。カム溝２８は、軸受孔２７（レバー２４の回動中心）を包囲するような概ね弧状に湾曲した形状であり、カム溝２８の入口２８Ｅは、アーム部２５の外周縁に開口している。軸受孔２７からカム溝２８までの径方向の距離は、カム溝２８の入口２８Ｅで最も遠く、カム溝２８の奥端部において最も小さくなっている。
【００２６】
両ハウジング１０，４０の嵌合過程及び離脱過程では、ムービングプレート１８のカム突起２３と雌側ハウジング４０のカムピン４１が、カム溝２８内を相対移動するようになっている。カム溝２８の内面のうち軸受孔２７（回動軸１３）と対向する外側の内側面は、嵌合用カム面２９として機能する。カム溝２８のうち軸受孔２７（回動軸１３）に対して背を向けた内側の内側面は、離脱用カム面３０として機能する。離脱用カム面３０は、嵌合用カム面２９よりも回動軸１３に近い位置に配されている。
【００２７】
レバー２４には、両アーム部２５の内側面を凹ませた形態の左右対称な一対の逃がし空間３１が形成されている。両ハウジング１０，４０が離脱した状態でレバー２４が初期位置と嵌合位置との間で回動する過程では、カム突起２３が逃がし空間３１内を相対変位するようになっている。アーム部２５の内側面からの逃がし空間３１の深さ寸法（回動軸１３の軸線と平行な寸法）は、カム溝２８の深さ寸法よりも小さく設定されている。したがって、カム溝２８及び逃がし空間３１の深さ方向において、嵌合用カム面２９は逃がし空間３１よりも奥方の領域に配されている。
【００２８】
逃がし空間３１に対するカム突起２３の進入深さは、逃がし空間３１の深さ寸法と同じか、それよりも僅かに小さい寸法とされている。カム突起２３が逃がし空間３１内を移動する際に、カム突起２３の突出端面（図６における左端面）は、逃がし空間３１の内面と非接触の状態を保つか、逃がし空間３１の内面に軽く摺接する。また、離脱用カム面３０は、カム溝２８及び逃がし空間３１の深さ方向において、逃がし空間３１と同じ深さ領域に配されている。したがって、離脱用カム面３０には、カム突起２３の外周面と後述するカムピン４１の外周面が摺接し得るようになっている。但し、嵌合用カム面２９には、後述するカムピン４１は摺接するが、カム突起２３は接触できない。
【００２９】
アーム部２５の内側面において、逃がし空間３１は、嵌合用カム面２９及び離脱用カム面３０よりも回動軸１３から遠い領域に配されている。逃がし空間３１は、その入口３１Ｅから奥端に至る全領域に亘ってカム溝２８と連通している。つまり、逃がし空間３１の入口３１Ｅは、カム溝２８の入口２８Ｅと隣接して連通している。また、逃がし空間３１は嵌合用カム面２９に対し径方向（回動軸１３と直交し且つレバー２４の回動方向と交差する方向）に隣接している。
【００３０】
アーム部２５には、回動軸１３に対し径方向に対向するように面する規制面３２が形成されている。規制面３２は、逃がし空間３１の外周縁に沿うように、且つ逃がし空間３１の入口３１Ｅから奥端に至る全領域に亘って形成されている。規制面３２のうち逃がし空間３１の入口３１Ｅよりも奥側の領域は、回動軸１３と同心の略円弧形をなしている。規制面３２の略円弧状領域と回動軸１３の中心との間の径方向の距離は、ムービングプレート１８が保護位置にあるときの回動軸１３の中心からカム突起２３の上端（カム突起２３のうち回動軸１３から最も遠い部位）までの距離より大きい寸法に設定されている。これにより、カム突起２３が逃がし空間３１内を相対移動する全過程で、カム突起２３は規制面３２と非接触の状態を保つ。
【００３１】
＜雌側ハウジング４０＞
雌側ハウジング４０は、全体としてブロック状をなし、ムービングプレート１８（フード部１２）内に嵌入し得るようになっている。雌側ハウジング４０内には、複数の雌端子金具４２が収容されている。雌側ハウジング４０の左右両外側面には、左右対称な一対のカムピン４１が突出形成されている。雌側ハウジング４０がムービングプレート１８内に嵌入すると、カムピン４１と一対のカム突起２３は、カムピン４１が一対のカム突起２３の間で前後に挟まれた状態で合体し得るようになっている。カムピン４１と一対のカム突起２３は、合体状態で上下方向（両ハウジング１０，４０の嵌合・離脱方向と平行な方向）に相対変位し得るようになっている。
【００３２】
カムピン４１とカム突起２３が合体した状態では、図１０に示すように、カムピン４１の突出端が、カム突起２３の突出端から側方（回動軸１３の軸線と平行な方向）へ突出するようになっている。また、カムピン４１の上下寸法はカム突起２３の上下寸法より大きく設定されているので、カムピン４１とカム突起２３が合体した状態では、カムピン４１の前端部と後端部のうち少なくとも一方の端部が、カム突起２３の前方又は後方へ突出した状態となる。
【００３３】
また、雄側ハウジング１０と雌側ハウジング４０の嵌合・離脱過程において、ムービングプレート１８には摺動抵抗等に起因する大きな負荷が作用しないので、カム突起２３の形状と寸法は、比較的剛性と強度の低い形態とされている。これに対し、雄側ハウジング１０と雌側ハウジング４０との間には、雄端子金具１５と雌端子金具４２との間の弾性接触に起因する大きな摺動抵抗が発生するので、レバー２４からカムピン４１に対して大きな負荷が作用する。そのため、カムピン４１は、カム突起２３よりも剛性と強度が高くなるような形状及び寸法とされている。
【００３４】
＜作用及び効果＞
雄側ハウジング１０と雌側ハウジング４０が離脱し、レバー２４が初期位置にある状態（図２を参照）では、図４に示すように、カム溝２８の入口２８Ｅと逃がし空間３１の入口３１Ｅが上向きに開口し、カム突起２３が、カム溝２８の入口２８Ｅの奥端面に当接又は接近するように位置する。カム突起２３がカム溝２８の入口２８Ｅに位置するとき、ムービングプレート１８は保護位置にある。保護位置のムービングプレート１８は、フード部１２に形成したストッパ３３に係止することにより、退避位置への移動を規制される。
【００３５】
この状態からフード部１２内に雌側ハウジング４０を浅く嵌入すると、雌側ハウジング４０は、ムービングプレート１８の周壁部２０内に嵌合され、プレート本体部１９の上面と接近して、つまり非接触で対向する状態となる。尚、このとき、雌側ハウジング４０がプレート１９の上面に当接するようにしてもよい。ムービングプレート１８に雌側ハウジング４０が浅く嵌合するのに伴い、カムピン４１が、カム溝２８の入口２８Ｅに進入して一対のカム突起２３の間に進入し、カムピン４１とカム突起２３が合体した状態となる。このとき、カムピン４１が入口２８Ｅの奥端面に当接し、カムピン４１の上端部（嵌合方向後端部）がカム突起２３の上方へ突出した状態となる。
【００３６】
また、雌側ハウジング４０がストッパ３３を変位させるので、ムービングプレート１８は退避位置への移動が可能となる。この状態から初期位置のレバー２４を嵌合位置側へ回動させると、カムピン４１がカム溝２８の嵌合用カム面２９に摺接して倍力機能が発揮されるので、雌側ハウジング４０が雄側ハウジング１０に引き寄せられて嵌合が進む。
【００３７】
両ハウジング１０，４０の嵌合過程（レバー２４の回動過程）の初期においては、嵌合用カム面２９がカムピン４１の上端部を押圧するので、雌側ハウジング４０のみが下方（嵌合方向）へ移動する。この間、嵌合用カム面２９はカム突起２３に接触しないので、ムービングプレート１８は保護位置から動かない。雌側ハウジング４０は、僅かに移動したところで、プレート本体部１９の上面に面当たり状態で当接する。
【００３８】
これ以降、レバー２４の回動が進むのに伴い、ムービングプレート１８は、雌側ハウジング４０に押されることにより雌側ハウジング４０と一体となってフード部１２の奥方（下方）へ押し込まれる。そして、レバー２４が嵌合位置に到達すると、両ハウジング１０，４０が正規の嵌合状態となり、雄端子金具１５のタブ１７が雌側ハウジング４０内に進入して雌端子金具４２に接続される。
【００３９】
雌側ハウジング４０がプレート本体部１９に面当たりしたときから、レバー２４が嵌合位置へ回動するまでの間に、カム突起２３と嵌合用カム面２９は非接触の状態のままであるから、ムービングプレート１８と雌側ハウジング４０の上下方向の位置関係は変化しない。したがって、雌側ハウジング４０とプレート本体部１９は面当たりした状態を保つ。
【００４０】
このように、レバー２４が初期位置から嵌合位置へ回動する過程では、回動の初期に雌側ハウジング４０のみが移動することで、ムービングプレート１８と雌側ハウジング４０が当接して一体する。その後、嵌合位置に至るまでの間、雌側ハウジング４０はムービングプレート１８と一体化した状態を保ったまま雄側ハウジング１０と嵌合する。
【００４１】
また、上下方向においてカム突起２３の上端とカムピン４１の上端とが概ね同じ位置にあり、レバー２４が嵌合位置に至る過程や嵌合位置に到達した状態では、カム突起２３の上端部が嵌合用カム面２９より上方に位置することがある。そのため、カム突起２３の上端部がレバー２４と干渉することが懸念されるが、嵌合用カム面２９の上方には逃がし空間３１が隣接して配されているので、カム突起２３は、その上端部（一部）を逃がし空間３１に進入させることでレバー２４との干渉を回避している。
【００４２】
両ハウジング１０，４０が嵌合している状態から嵌合位置のレバー２４を初期位置へ回動させると、離脱用カム面３０がカム突起２３とカムピン４１に摺接することにより、退避位置のムービングプレート１８が上方（フード部１２の開口端側）へ押し動かされて保護位置へ移動するとともに、雌側ハウジング４０が上方へ押し動かされて雄側ハウジング１０から離脱する。
【００４３】
詳述すると、両ハウジング１０，４０が嵌合している状態では、カム突起２３が離脱用カム面３０から大きく離間しているのに対し、カムピン４１の下端部は、カム突起２３の下端より下方へ突出し、離脱用カム面３０に対し接触又は接近している。そのため、レバー２４の回動初期は、離脱用カム面３０がカムピン４１の下端部のみに摺接し、雌側ハウジング４０が上方へ押し上げられてプレート本体部１９から離間する。この間、ムービングプレート１８は移動せず、カムピン４１がカム突起２３に対して相対的に上動する。
【００４４】
雌側ハウジング４０がプレート本体部１９から離間した後、レバー２４の回動が進むと、離脱用カム面３０がカム突起２３の下端部への摺接を開始する。これ以降は、レバー２４が初期位置に到達するまで、離脱用カム面３０がカム突起２３とカムピン４１の両方に摺接し、ムービングプレート１８と雌側ハウジング４０の両方が上方へ移動する。レバー２４が初期位置に戻ると、カムピン４１とカム突起２３がカム溝２８の入口２８Ｅに戻るので、雌側ハウジング４０を持ち上げれば、両ハウジング１０，４０を離脱させることができる。
【００４５】
尚、レバー２４を嵌合位置から初期位置へ回動させる過程で、離脱用カム面３０をカム突起２３のみに摺接させようとすると、プレート本体部１９で雌側ハウジング４０を離脱方向へ押し動かすことになる。この場合、カム突起２３には、雄側ハウジング１０と雌側ハウジング４０との間の大きな離脱抵抗に相当する負荷が作用するため、カム突起２３を大型化して強度の高い形態にする必要がある。カム突起２３を大型化すると逃がし空間３１も大きくする必要がある。逃がし空間３１を大きくすることは、レバー２４における肉薄領域を拡大することになるので、強度の観点からは好ましくない。
【００４６】
これを回避するため、本実施例１では、レバー２４が嵌合位置から初期位置へ回動する過程の初期において、離脱用カム面３０をカムピン４１のみに摺接させ、雌側ハウジング４０をプレート本体部１９から離間させた。その後、離脱用カム面３０がカム突起２３への摺接を開始してから、レバー２４が初期位置に到達するまでの間は、離脱用カム面３０をカム突起２３とカムピン４１の両方に摺接させ、雌側ハウジング４０とプレート本体部１９が離間した状態のまま離脱方向へ移動させるようにした。これにより、カム突起２３を小型化することが実現できた。
【００４７】
離脱用カム面３０のうちカム突起２３及びカムピン４１への当接領域は、嵌合・離脱方向に対して斜めをなすが、離脱用カム面３０の当接領域の傾斜角度はレバー２４の回動過程で変化していく。これに加え、カム突起２３とカムピン４１は嵌合・離脱方向と交差する方向に並ぶように配されている。そのため、レバー２４が一定角度回動したときにおける雌側ハウジング４０の移動距離とムービングプレート１８の移動距離が微妙に相違するが、雌側ハウジング４０とプレート本体部１９は充分に離間した状態に保たれているので、レバー２４の回動過程で雌側ハウジング４０とプレート本体部１９が干渉する虞はない。
【００４８】
また、両ハウジング１０，４０を離脱してレバー２４を初期位置に戻すと、ムービングプレート１８は保護位置に戻る。この状態では、レバー２４の操作部２６がフード部１２の開口領域よりも前方へ外れた位置にあるため、フード部１２の上端の全領域が開放された状態となる。しかし、ムービングプレート１８が保護位置にある状態では、プレート本体部１９からのタブ１７の上方への突出寸法が比較的小さいので、タブ１７に対して異物が干渉する虞はない。
【００４９】
本実施例１のレバー式コネクタでは、雄側ハウジング１０を他部材に取り付ける場合等に、両ハウジング１０，４０が離脱したままの状態でレバー２４を初期位置から嵌合位置へ回動することが行われる。レバー２４を嵌合位置へ回動させるときにレバー２４の嵌合用カム面２９がカム突起２３を押圧すると、ムービングプレート１８が退避位置へ落ち込んでしまい、プレート本体部１９からのタブ１７の突出寸法が大きくなってタブ１７が他部材の干渉によって変形を来す虞がある。
【００５０】
しかし、本実施例１のレバー式コネクタでは、カム突起２３が嵌合用カム面２９と干渉しないので、レバー２４からカム突起２３に嵌合方向の押圧力が作用することはない。また、離脱用カム面３０は、レバー２４の回動に伴ってカム突起２３から遠ざかるので、レバー２４からカム突起２３の離脱方向の押圧力も作用しない。そのため、カム突起２３は、レバー２４の回動に伴って逃がし空間３１内に進入し、逃がし空間３１内を周方向に相対変位する。カム突起２３が逃がし空間３１内を相対変位する間、カム突起２３はレバー２４と非干渉の状態（レバー２４から径方向及び周方向の押圧力を受けない状態）を保つので、ムービングプレート１８は保護位置に保持される。
【００５１】
また、両ハウジング１０，４０が離脱した状態でレバー２４を嵌合位置へ回動した後、そのレバー２４を初期位置へ回動させると、カム突起２３は、逃がし空間３１内を相対変位してカム溝２８の入口２８Ｅに戻る。この間、カム突起２３には、離脱用カム面３０も嵌合用カム面２９も接触しないので、ムービングプレート１８は保護位置に保たれたままである。
【００５２】
本実施例１のレバー式コネクタは、レバー２４に嵌合用カム面２９と逃がし空間３１が形成されている。嵌合用カム面２９は、レバー２４を初期位置から嵌合位置へ回動する過程で、カム突起２３と非接触の状態でカムピン４１を嵌合方向へ押圧する。また、両ハウジング１０，４０が離脱し且つムービングプレート１８が保護位置にある状態でレバー２４が初期位置から嵌合位置へ回動する過程では、カム突起２３が嵌合用カム面２９と非接触の状態で逃がし空間３１内に収容される。
【００５３】
この構成によれば、逃がし空間３１内のカム突起２３には嵌合用カム面２９が接触しないので、ムービングプレート１８には嵌合方向の押圧力は作用しない。これにより、ムービングプレート１８を保護位置に保持することができる。また、カム溝２８は、カム突起２３を変位させる空間としてだけでなく、カムピン４１を変位させる空間としての機能も兼ね備えている。したがって、カム溝２８とは別に、両ハウジング１０，４０の嵌合過程でカムピン４１を変位させるための専用通路を形成する場合に比べると、レバー２４の形状を簡素化することができる。
【００５４】
本実施例１のレバー式コネクタは、レバー２４にカム溝２８が形成されている。カム溝２８は、入口２８Ｅから奥側に向かうほど回動軸１３（レバー２４の回動中心）に接近するように湾曲した形態である。レバー２４がカムピン４１に摺接しながら初期位置から嵌合位置へ回動する過程では、カム溝２８は、カム突起２３が回動軸１３に接近するように変位することを可能にする第１通路としての機能を発揮する。
【００５５】
同じくレバー２４には逃がし空間３１が形成されている。レバー２４がカムピン４１と非接触の状態で初期位置から嵌合位置へ回動する過程において、逃がし空間３１は、カム突起２３が回動軸１３との位置関係を変化させずに変位することを許容する第２通路としての機能を発揮する。したがって、両ハウジング１０，４０が離脱してレバー２４がカムピン４１と非接触となる状態において、レバー２４が初期位置から嵌合位置へ回動した場合、カム突起２３は、レバー２４の回動中心に接近しない状態を保ったままで逃がし空間３１内を変位する。したがって、ムービングプレート１８も保護位置から動くことはない。
【００５６】
本実施例１のレバー式コネクタは、レバー２４に、離脱用カム面３０と、離脱用カム面３０よりも回動軸１３から遠い領域に配された逃がし空間３１とが形成されている。両ハウジング１０，４０が嵌合している状態において嵌合位置のレバー２４を初期位置へ回動する過程では、離脱用カム面３０がカム突起２３を回動軸１３から遠ざかる方向へ押圧することで、両ハウジング１０，４０が離脱される。また、両ハウジング１０，４０が離脱し且つムービングプレート１８が保護位置にある状態でレバー２４が初期位置から嵌合位置へ回動する過程では、カム突起２３が、離脱用カム面３０から離間しながら逃がし空間３１内に収容される。
【００５７】
この構成によれば、両ハウジング１０，４０が離脱した状態では、カム突起２３が、離脱用カム面３０に押されることによってレバー２４の回動軸１３から最も遠い位置に配される。そして、逃がし空間３１は、離脱用カム面３０よりも回動軸１３から遠い領域に配されている。したがって、両ハウジング１０，４０が離脱した状態においてレバー２４が嵌合位置側へ回動する過程では、逃がし空間３１内に収容されるカム突起２３が回動軸１３に接近することはない。これにより、ムービングプレート１８は保護位置に保持される。
【００５８】
本実施例１のレバー式コネクタは、雌側ハウジング４０にカムピン４１が形成されている。雌側ハウジング４０をフード部１２に嵌入してカムピン４１とカム突起２３を合体した状態では、カムピン４１の雄側ハウジング１０の外側面からの突出寸法が、カム突起２３の雄側ハウジング１０の外側面からの突出寸法よりも大きい。一方、レバー２４には、両ハウジング１０，４０の嵌合・離脱過程でカム突起２３とカムピン４１を収容するカム溝２８が形成されている。同じくレバー２４には、カム溝２８よりも浅く凹ませることでカムピン４１の進入を規制した逃がし空間３１が形成されている。逃がし空間３１は、カム溝２８よりも浅く凹ませた形態である。
【００５９】
そして、両ハウジング１０，４０が離脱し且つムービングプレート１８が保護位置にある状態でレバー２４が初期位置から嵌合位置へ回動する過程では、カム突起２３がレバー２４と非干渉の状態で逃がし空間３１内に収容される。したがって、ムービングプレート１８には嵌合方向の押圧力は作用しないので、ムービングプレート１８を保護位置に保持することができる。また、両ハウジング１０，４０の嵌合過程で、カムピン４１が逃がし空間３１内に誤進入することが防止される。
【００６０】
また、レバー２４には、両ハウジング１０，４０の嵌合過程でカム突起２３とカムピン４１を収容可能なカム溝２８が形成され、このカム溝２８に嵌合用カム面２９が形成されている。そして、逃がし空間３１は、嵌合用カム面２９に隣接し且つカム溝２８と連通している。逃がし空間３１がカム溝２８と連通しているので、両ハウジング１０，４０を嵌合する工程で、カム突起２３とカムピン４１を合体させた状態でカム溝２８内を移動させることができる。また、カム溝２８は、両ハウジング１０，４０の嵌合過程においてカム突起２３の移動経路を兼ねるので、カム溝２８とは別にカム突起２３専用の移動経路をレバー２４に形成する場合に比べると、レバー２４の形状を簡素化することができる。
【００６１】
また、逃がし空間３１は、嵌合用カム面２９よりも回動軸１３から遠い領域に配されていてもよい。この構成によれば、両ハウジング１０，４０が離脱した状態でレバー２４が初期位置から嵌合位置へ回動する過程で、カム突起２３はレバー２４の回動中心に接近しないので、ムービングプレート１８を保護位置に保持することができる。
【００６２】
また、レバー２４には、離脱用カム面３０が形成されている。両ハウジング１０，４０が嵌合した状態からレバー２４を初期位置側へ回動して両ハウジング１０，４０を離脱する過程では、離脱用カム面３０がカム突起２３を押圧することによりムービングプレート１８を保護位置側へ移動させるようになっている。この構成によれば、両ハウジング１０，４０が嵌合している状態でレバー２４を嵌合位置から初期位置へ回動させると、離脱用カム面３０がカム突起２３を押圧してムービングプレート１８を保護位置へ移動させる。ムービングプレート１８が保護位置へ移動する過程で両ハウジング１０，４０が離脱する。
【００６３】
また、雌側ハウジング４０には、両ハウジング１０，４０の嵌合過程で、レバー２４が初期位置から嵌合位置へ回動するのに伴いカム溝２８によって嵌合方向へ押圧されるカムピン４１が形成されている。逃がし空間３１はカム溝２８と連通しており、カム溝２８には離脱用カム面３０が形成されている。この構成によれば、カム溝２８は、両ハウジング１０，４０の嵌合過程におけるカムピン４１の移動経路と、両ハウジング１０，４０の離脱過程におけるカム突起２３の移動経路を兼ねる。したがって、カム溝２８とは別にカム突起２３専用の離脱用移動空間をレバー２４に形成する場合に比べると、レバー２４の形状を簡素化することができる。
【００６４】
また、逃がし空間３１の入口３１Ｅがカム溝２８の入口２８Ｅと隣接して連通しており、カム溝２８及び逃がし空間３１における入口２８Ｅ，３１Ｅよりも奥側の領域では、逃がし空間３１が、カム溝２８よりも回動軸１３から遠い領域に配されている。この構成によれば、カム溝２８の入口２８Ｅと逃がし空間３１の入口３１Ｅが隣接して連通しているので、カム溝２８の入口２８Ｅと逃がし空間３１の入口３１Ｅが連通しない別々の空間である場合に比べると、レバー２４の形状を簡素化することができる。
【００６５】
また、レバー２４には、回動軸１３と対向し、且つ逃がし空間３１の外周縁に沿うように配された規制面３２が形成されている。この構成によれば、カム突起２３が規制面３２に当接することにより、保護位置のムービングプレート１８が退避位置とは反対側へ移動してフード部１２の正面の開口から離脱することを防止できる。尚、両ハウジング１０，４０が離脱した状態でレバー２４を初期位置と嵌合位置との間で回動させる過程では、逃がし空間３１内を相対変位するカム突起２３が規制面３２とは非接触の状態を保つので、保護位置のムービングプレート１８が退避位置側へ落とし込まれる虞がない。
【００６６】
＜他の実施例＞
本発明は上記記述及び図面によって説明した実施例に限定されるものではなく、例えば次のような実施例も本発明の技術的範囲に含まれる。
（１）上記実施例では、両ハウジングが離脱した状態でレバーを初期位置から嵌合位置へ回動する過程で、ムービングプレートは保護位置に保持されているが、レバーの回動過程でムービングプレートが僅かに退避位置側へ移動するようになっていてもよい。
（２）上記実施例では、第１通路（嵌合用カム面）が第２通路より回動軸に近い内周側に配されているが、これとは逆に、第２通路が第１通路（嵌合用カム面）より回動軸に近い内周側に配されていてもよい。この場合、両ハウジングの嵌合過程で、カムピンとカム突起を合体させないようにすればよい。
（３）上記実施例では、第２通路の外周縁に沿った規制面を形成したが、第２通路は、規制面が形成されておらず、レバーの外周縁に開放された形態であってもよい。
（４）上記実施例では、第１通路の入口と第２通路の入口が隣接して連通しているが、第１通路の入口と第２通路の入口は別々の空間であってもよい。
【符号の説明】
【００６７】
１０…雄側ハウジング
１２…フード部
１３…回動軸（レバーの回動中心）
１５…雄端子金具
１７…タブ
１８…ムービングプレート
２３…カム突起
２４…レバー
２８…カム溝（第１通路）
２８Ｅ…カム溝の入口
２９…嵌合用カム面
３０…離脱用カム面
３１…逃がし空間（第２通路）
３１Ｅ…逃がし空間の入口
３２…規制面
４０…雌側ハウジング
４１…カムピン
【図１】
2019212520.tif 000003
【図２】
2019212520.tif 000004
【図３】
2019212520.tif 000005
【図４】
2019212520.tif 000006
【図５】
2019212520.tif 000007
【図６】
2019212520.tif 000008
【図７】
2019212520.tif 000009
【図８】
2019212520.tif 000010
【図９】
2019212520.tif 000011
【図１０】
2019212520.tif 000012
【図１１】
2019212520.tif 000013
【図１２】
2019212520.tif 000014
【図１３】
2019212520.tif 000015
【図１４】
2019212520.tif 000016